(57)【要約】【課題】宣伝物の表示スペースを多く取れ、販売促進のためのアピール効果を大きく発揮できる商品陳列用トレーを提供すること。【解決手段】商品陳列棚において使用する商品陳列用トレーであって、商品を載せるためのトレー部１０，２０と、そのトレー部の前面側に略全幅に渡って横向き状態で回転可能に取り付けられた筒状の表示部３０とからなる。固定した表示部に比べて宣伝物の表示スペースが多くなり、客用の表示スペースを多く取れることから、販売促進のためのアピール効果を大きく発揮することができる。【選択図】        図１
2004290419.tif 000002
【特許請求の範囲】
【請求項１】
商品陳列棚において使用する商品陳列用トレーであって、商品を載せるためのトレー部と、そのトレー部の前面側に略全幅に渡って横向き状態で回転可能に取り付けられた筒状の表示部とからなることを特徴とする商品陳列用トレー。
【請求項２】
表示部が多角形の筒体であることを特徴とする請求項１に記載の商品陳列用トレー。
【請求項３】
表示部が円形の筒体であることを特徴とする請求項１に記載の商品陳列用トレー。
【請求項４】
表示部が所定の回転位置で止まる係止手段を有することを特徴とする請求項１，２又は３に記載の商品陳列用トレー。
【発明の詳細な説明】
【０００１】
【発明の属する技術分野】
本発明は、デパート、スーパーマーケット、コンビニエンスストア等における商品陳列棚において使用する商品陳列用トレーに関するものである。
【０００２】
【従来の技術】
従来、デパート、スーパーマーケット、コンビニエンスストア等における商品売場において、陳列されている商品に関する情報は、陳列棚の前端部に商品名や値札等の表示カードを配置して示すのが一般的である。中でも、化粧品や薬品などの場合、売場で目立たせるために、陳列棚として専用の什器を設置することも多いが、いずれにしても、各商品をアピールするため、前面の表示部にビジュアルシール等の情報物を取り付けた複数個の商品陳列用トレーを並べ、それらのトレーに対応する商品を並べた状態で陳列する、いわゆる棚割という陳列方法が行われている。
【０００３】
一方、一般的な陳列棚の前端部に設置される表示装置として、商品カード等の情報物の挿着性や顧客に対する見やすさなどの観点から工夫を凝らした種々のタイプの表示装置が用いられている。例えば、種々の大きさの商品カードを自由に挿着できるようにしたもの（例えば、特許文献１参照。）や、表示板を見やすい角度に容易に向けることができるようにしたもの（例えば、特許文献２参照。）が知られている。
【０００４】
【特許文献１】
特開平１１−２９９６０３号公報
【特許文献２】
特開平５−２７７０２２号公報
【０００５】
【発明が解決しようとする課題】
従来の技術で述べたタイプの商品陳列用トレーは、顧客に訴えるためのビジュアルシールの他に、列毎の商品に対応した単品シールや、店側が商品管理を行うために使用するバーコード等を印刷したＪＡＮカードなどを、その前面の表示部に貼り付けたり差し込んだりして取り付けている。ところが、これらの宣伝物をすべてトレー前面の表示部に割り振っているため、ビジュアルシールや単品シール等の顧客に対する宣伝物の表示スペースが狭くなり、顧客に対するアピール効果が弱いという問題がある。そこで、多くの情報を載せるために表示部を高くすれば良さそうなものであるが、これでは後の商品が隠れて見えなくなるという問題が生じる。
【０００６】
また、顧客に対するアピール効果を強くするため、一般的な陳列棚にて既に用いられている表示装置を上記の如き商品陳列用トレーの表示部に利用することも考えられるが、商品陳列用トレーの前面に取り付けて宣伝物の表示スペースを多くするのに適したものは見当たらない。
【０００７】
本発明は、上記のような問題点に鑑みてなされたものであり、その目的とするところは、宣伝物の表示スペースを多く取れ、販売促進のためのアピール効果を大きく発揮できる商品陳列用トレーを提供することにある。
【０００８】
【課題を解決するための手段】
上記の目的を達成するため、本発明の商品陳列用トレーは、商品陳列棚において使用する商品陳列用トレーであって、商品を載せるためのトレー部と、そのトレー部の前面側に略全幅に渡って横向き状態で回転可能に取り付けられた筒状の表示部とからなることを特徴としている。
【０００９】
【発明の実施の形態】
以下、図面を参照して本発明の実施の形態を説明する。
【００１０】
図１は本発明に係る商品陳列用トレーの一例を示す斜視図、図２は図１に示す商品陳列用トレーを各構成部材に分解して示す斜視図である。
【００１１】
この商品陳列用トレーは、化粧品販売用の陳列棚（什器）に載せた状態或いは引っ掛けた状態で使用するもので、図示のように、商品を載せるためのトレー部として、販売現品を載せるためのトレー本体１０と、見本を載せるための補助トレー２０とを有しており、補助トレー２０の前方には三角形の筒状をした表示部３０を有し、またトレー本体１０の後側には係止部材４０を有している。これらの各部材を構成する素材としては、プラスチックが好ましく、通常は無色透明のアクリル樹脂が好適に用いられる。
【００１２】
トレー部を構成するトレー本体１０と補助トレー２０は、トレー本体１０の前面にて横方向に設けられた溝１１に補助トレー２０の後側にある突条２１を引っ掛け、手前の受台１２上に下側の突条２２を載置することで互いに連結される構造になっている。そして、トレー本体１０の両サイドには前方に突き出た腕部分１３がそれぞれ設けられ、補助トレー２０における両側面の後方下側にはトレー本体１０との連結時に腕部分１３が入り込む形状の切欠部２３がそれぞれ設けられている。
【００１３】
補助トレー２０には、その前側に両サイドから突き出た腕部分２４が設けられており、三角形の筒体からなる表示部３０がこの腕部分２４によって補助トレー２０の前面側に略全幅に渡って横向き状態で回転可能に取り付けられている。すなわち、表示部３０の両端面センターにそれぞれ円形突起３１が設けられるとともに、補助トレー２０の腕部分２４に円形の支持孔２５が設けられており、これらを互いに嵌合させることで、表示部３０が補助トレー２０の前面側に回転可能な状態で取り付けられている。
【００１４】
そして、表示部３０が所定の回転位置で止まる係止手段を設けておくことが好ましい。図示の例では、補助トレー２０の腕部分２４と表示部３０の端面との間にクリック機構を設けてある。具体的には、センターの円形突起３１を囲むようにして表示部の３０の両端面にそれぞれ一つの円弧状小突起３２を設けるとともに、補助トレー２０における腕部分２４の内面側には支持孔２５に隣接して円形の係止孔２６を３箇所設けてあり、表示部３０を手で回すとその端面にある円弧状小突起３２が腕部分２４の係止孔２６に嵌まり込み、表示部３０としての三角筒の各面がそれぞれ斜め上方を向く状態、すなわち１２０度で３分割した３箇所で順次止まるようにしている。
【００１５】
ここで、トレー本体１０の腕部分１３と補助トレー２０の腕部分２４は同じ間隔になるように設けてある。しかも、トレー本体１０の腕部分１３には補助トレー２０の腕部分２４に設けた支持孔２５と同様の支持孔１４が設けてあり、さらにその支持孔１４に隣接して円形の係止孔１５が同様に３箇所設けてある。なお、上部の係止孔１５は腕部分２４の上縁にかかっている。したがって、トレー本体１０のみをトレー部として使用する場合でも、トレー本体１０の前面側に表示部３０を取り付けて使用することができる。
【００１６】
表示部３０は、図３に示すように、本体部分３３とこれに回動可能に取り付けたフタ部分３４の２パーツで構成されており、フタ部分３４には隙間のある板状物が用いられている。この表示部３０の場合、図示のように、本体部分３３の中にＶ字折りのビジュアルシール３５を差し込み、フタ部分３４にＪＡＮカード３６をセットしてから蓋を閉めることでこれらの宣伝物を固定することができる。もちろん、表示部３０を単なる三角形の筒体とし、各面に宣伝物を貼り付けるようにしても構わない。
【００１７】
表示部の形状は、三角形の筒体が代表的ではあるが、必ずしもこれに限定されるものではなく、多角形の筒体でも良いし、或いは円形の筒体でも構わない。ただどのような形状であっても、表示部が所定の回転位置で係止して止まるように構成するのが好ましい。
【００１８】
トレー本体１０の後側には、断面Ｌ字型の係止部材４０が底部の裏側にてスライド固定可能な状態で取り付けられている。この係止部材４０は、引き出す長さが調整可能になっており、什器の支柱間に設置されるフックバーにトレー全体を引っ掛ける際に使用するもので、棚として機能するトレー用受け金具を使用しなくても、商品陳列用トレーを什器に取り付けることを可能としている。
【００１９】
以上、一つの具体例を挙げて本発明の実施の形態について詳細に説明してきたが、本発明による商品陳列用トレーは、上記実施の形態に何ら限定されるものではなく、本発明の趣旨を逸脱しない範囲において種々の変更が可能であることは当然のことである。
【００２０】
【発明の効果】
本発明の商品陳列用トレーは、商品陳列棚において使用する商品陳列用トレーであって、商品を載せるためのトレー部と、そのトレー部の前面側に略全幅に渡って横向き状態で回転可能に取り付けられた筒状の表示部とからなることを特徴としているので、固定した表示部に比べて宣伝物の表示スペースが多くなり、客用の表示スペースを多く取れることから、販売促進のためのアピール効果を大きく発揮することができる。
【図面の簡単な説明】
【図１】本発明に係る商品陳列用トレーの一例を示す斜視図である。
【図２】図１に示す商品陳列用トレーを各構成部材に分解して示す斜視図である。
【図３】表示部に宣伝物をセットする状態を示す説明図である。
【符号の説明】
１０  トレー本体
１１  溝
１２  受台
１３  腕部分
１４  支持孔
１５  係止孔
２０  補助トレー
２１，２２  突条
２３  切欠部
２４  腕部分
２５  支持孔
２６  係止孔
３０  表示部
３１  円形突起
３２  小突起
３３  本体部分
３４  フタ部分
３５  ビジュアルシール
３６  ＪＡＮカード
４０  係止部材
【図１】
2004290419.tif 000003
【図２】
2004290419.tif 000004
【図３】
2004290419.tif 000005